(57)【特許請求の範囲】
【請求項１】
入力されるアナログ音声信号の音量レベルを制御部によって設定された第１音量レベルに調整する第１音量調整部と、
前記第１音量調整部からのアナログ音声信号をデジタル音声信号に変換するアナログデジタル変換部と、
前記アナログデジタル変換部からのデジタル音声信号の音量レベルを前記制御部よって設定された第２音量レベルに調整する第２音量調整部と、
前記第２音量調整部からの音声信号を増幅する増幅部と、
前記増幅部から出力される音声信号が設定値以上であるか否かを検出し、前記設定値以上であると判断した場合に、前記設定値以上であることを示す信号を前記制御部に出力する検出部と、
ユーザ操作によって音量レベルを増加させる指示が入力される入力部と、
ユーザ操作によって音量レベルを増加させる指示が入力されたとき、前記検出部から前記設定値以上であることを示す信号が出力されている場合には、前記第１音量調整部および前記第２音量調整部の音量レベルを増加させず、前記検出部から前記設定値以上であることを示す信号が出力されておらず、かつ、前記第２音量レベルが所定値である場合に、前記第１音量レベルを増加させ、前記検出部から前記設定値以上であることを示す信号が出力されておらず、かつ、前記第２音量レベルが所定値未満である場合に、前記第２音量レベルを増加させる前記制御部とを備える、音量調整装置。
【請求項２】
入力されるアナログ音声信号のレベル変化によって、前記検出部から前記設定値以上であることを示す信号が出力されたとき、前記第１音量レベルが第２所定値である場合、前記制御部が、前記第２音量レベルを減少させ、前記第１音量レベルが第２所定値よりも大である場合、前記制御部が、前記第１音量レベルを減少させる、請求項１に記載の音量調整装置。
【請求項３】
入力されるアナログ音声信号の音量レベルを制御部によって設定された第１音量レベルに調整する第１音量調整部と、
前記第１音量調整部からのアナログ音声信号をデジタル音声信号に変換するアナログデジタル変換部と、
前記アナログデジタル変換部からのデジタル音声信号の音量レベルを前記制御部よって設定された第２音量レベルに調整する第２音量調整部と、
前記第２音量調整部からの音声信号を増幅する増幅部と、
前記増幅部から出力される音声信号が設定値以上であるか否かを検出し、前記設定値以上であると判断した場合に、前記設定値以上であることを示す信号を前記制御部に出力する検出部と、
ユーザ操作によって音量レベルを調整する指示が入力される入力部と、
入力されるアナログ音声信号のレベル変化によって、前記検出部から前記設定値以上であることを示す信号が出力されたとき、前記第１音量レベルが第２所定値である場合、前記第２音量レベルを減少させ、前記第１音量レベルが第２所定値よりも大である場合、前記第１音量レベルを減少させる制御部とを備える、音量調整装置。
【発明の詳細な説明】
【技術分野】
【０００１】
本発明は、音量調整装置に関する。
【背景技術】
【０００２】
オーディオアンプにおいて、アナログ音声信号がＤＳＰに入力されると、ＤＳＰ内において、（１）第１音量調整部で第１音量レベルに音量調整され、（２）アナログデジタル変換器でデジタル音声信号に変換され、（３）信号処理が実行され、（４）第２音量調整部で第２音量レベルに音量調整され、アンプへと出力される。ここで、感度を２Ｖに設定した場合、第１音量調整部の音量レベルは−６ｄＢに設定される。これは、ＤＳＰ内のアナログデジタル変換器の最大入力電圧が１Ｖであるので、２Ｖのアナログ音声信号を１Ｖに減圧してアナログデジタル変換器に入力するためである。このとき、第１音量調整部の音量レベルは−６ｄＢに設定されているので、１Ｖのアナログ音声信号に対しては、音量レベルを十分に上げることができなくなる。一方、感度を１Ｖに設定した場合、１Ｖのアナログ音声信号をそのままアナログデジタル変換器に入力することができるので、第１音量調整部の音量レベルは０Ｖに設定される。これにより、１Ｖのアナログ音声信号に対して十分に音量レベルを調整することが可能となる。このとき、２Ｖのアナログ音声信号に対してオーバフローが生じ、ノイズが発生してしまう。これを解決するためには、従来のオーディオアンプでは、入力されるアナログ音声信号の電圧に応じてユーザ操作によって感度を手動で調整する機能が採用されているが、ユーザ操作によって感度を調整することは非常に煩雑であるという問題がある、
【先行技術文献】
【特許文献】
【０００３】
【特許文献１】特開２０１０−１０９８４５号
【発明の概要】
【発明が解決しようとする課題】
【０００４】
本発明は上記従来の課題を解決するためになされたものであり、その目的は、ユーザ操作を要することなく感度を最適な値に設定することができる音量調整装置を提供することにある。
【課題を解決するための手段】
【０００５】
本発明の好ましい実施形態による音量調整装置は、入力されるアナログ音声信号の音量レベルを制御部によって設定された第１音量レベルに調整する第１音量調整部と、前記第１音量調整部からのアナログ音声信号をデジタル音声信号に変換するアナログデジタル変換部と、前記アナログデジタル変換部からのデジタル音声信号の音量レベルを前記制御部よって設定された第２音量レベルに調整する第２音量調整部と、前記第２音量調整部からの音声信号を増幅する増幅部と、前記増幅部から出力される音声信号が設定値以上であるか否かを検出し、前記設定値以上であると判断した場合に、前記設定値以上であることを示す信号を前記制御部に出力する検出部と、ユーザ操作によって音量レベルを増加させる指示が入力される入力部と、ユーザ操作によって音量レベルを増加させる指示が入力されたとき、前記検出部から前記設定値以上であることを示す信号が出力されている場合には、前記第１音量調整部および前記第２音量調整部の音量レベルを増加させず、前記検出部から前記設定値以上であることを示す信号が出力されておらず、かつ、前記第２音量レベルが所定値である場合に、前記第１音量レベルを増加させ、前記検出部から前記設定値以上であることを示す信号が出力されておらず、かつ、前記第２音量レベルが所定値未満である場合に、前記第２音量レベルを増加させる前記制御部とを備える。
【０００６】
ユーザ操作によって音量レベルを増加させる指示が入力された場合には、第２音量調整部の第２音量レベルが所定値になるまでは、第２音量レベルを増加させ、第２音量調整部の第２音量レベルが所定値になった後は、第１音量調整部の第１音量レベルを増加させて、感度を増加させる。その結果、最初は感度を高い値に設定しておきクリップを防止すると共に、第２音量レベルが所定値になると音量レベルを増加させるに従い第１音量レベルを増加させて感度を低下させていき、低い電圧が入力された場合でも増幅部の出力電圧の振幅値を大きくすることが可能となる。また、常に検出部からの信号を監視しており、検出部からの信号が設定値以上であることを示す信号であれば、音量レベルを増加させないことによって、増幅部からの音声信号の振幅がクリップすることを防止することができる。
【０００７】
好ましい実施形態においては、入力されるアナログ音声信号のレベル変化によって、前記検出部から前記設定値以上であることを示す信号が出力されたとき、前記第１音量レベルが第２所定値である場合、前記制御部が、前記第２音量レベルを減少させ、前記第１音量レベルが第２所定値よりも大である場合、前記制御部が、前記第１音量レベルを減少させる。
【０００８】
ユーザ操作によって音量レベルを増加する指示が入力されていない場合であっても、入力されるアナログ音声信号の電圧が大きくなって、検出部から設定値以上であることを示す信号が出力された際には、第１音量レベルが所定値になるまでは第１音量調整部の第１音量レベルを低下させ（つまり、感度を増加させ）、第１音量レベルが所定値である場合には第２音量調整部の第２音量レベルを低下させる。
【０００９】
本発明の別の好ましい実施形態による音量調整装置は、入力されるアナログ音声信号の音量レベルを制御部によって設定された第１音量レベルに調整する第１音量調整部と、前記第１音量調整部からのアナログ音声信号をデジタル音声信号に変換するアナログデジタル変換部と、前記アナログデジタル変換部からのデジタル音声信号の音量レベルを前記制御部よって設定された第２音量レベルに調整する第２音量調整部と、前記第２音量調整部からの音声信号を増幅する増幅部と、前記増幅部から出力される音声信号が設定値以上であるか否かを検出し、前記設定値以上であると判断した場合に、前記設定値以上であることを示す信号を前記制御部に出力する検出部と、ユーザ操作によって音量レベルを調整する指示が入力される入力部と、入力されるアナログ音声信号のレベル変化によって、前記検出部から前記設定値以上であることを示す信号が出力されたとき、前記第１音量レベルが第２所定値である場合、前記第２音量レベルを減少させ、前記第１音量レベルが第２所定値よりも大である場合、前記第１音量レベルを減少させる制御部とを備える。
【００１０】
ユーザ操作によって音量レベルを増加する指示が入力されていない場合であっても、入力されるアナログ音声信号の電圧が大きくなって、検出部から設定値以上であることを示す信号が出力された際には、第１音量レベルが所定値になるまでは第１音量調整部の第１音量レベルを低下させ（つまり、感度を増加させ）、第１音量レベルが所定値である場合には第２音量調整部の第２音量レベルを低下させる。
【発明の効果】
【００１１】
本発明によると、ユーザ操作を要することなく感度を最適な値に設定することができる音量調整装置を提供することができる。
【図面の簡単な説明】
【００１２】
【図１】本発明の好ましい実施形態による音量調整装置を示すブロック図である。
【図２】クリップ検出回路を示す回路図である。
【図３】音量レベルと電力との関係を示す図である。
【図４】クリップ検出回路８の各部の電圧波形を示すタイムチャートである。
【図５】マイコン（制御部）９の処理を示すフローチャートである。
【図６】マイコン（制御部）９の処理を示すフローチャートである。
【発明を実施するための形態】
【００１３】
以下、本発明の好ましい実施形態について、図面を参照して具体的に説明するが、本発明はこれらの実施形態には限定されない。図１は、本発明の好ましい実施形態による音量調整装置の機能を備える増幅装置１を示す概略ブロック図である。増幅装置１は、第１音量調整部２と、アナログデジタル変換器（以下、ＡＤＣという。）３と、信号処理部４と、第２音量調整部５と、メインアンプ６と、スピーカー７と、クリップ検出回路８と、マイコン（制御部）９と、入力部１０とを概略備える。第１音量調整部２、ＡＤＣ３、信号処理部４、第２音量調整部５はＤＳＰによって構成されている。
【００１４】
第１音量調整部２は、増幅装置１の外部から入力されるアナログ音声信号の音量レベルをマイコン９によって設定された第１音量レベルに調整し、ＡＤＣ３にアナログ音声信号を出力する。ＡＤＣ３は、第１音量調整部２から供給されたアナログ音声信号をデジタル音声信号に変換し、信号処理部４に供給する。
【００１５】
ここで、ＡＤＣ３の最大入力電圧は例えば１Ｖ（ＲＭＳ（root mean square）、以下同様）に決められている。従って、例えば感度を２Ｖ（ＲＭＳ）に設定し、２Ｖ（ＲＭＳ）のアナログ音声信号をＡＤＣ３に入力させるためには、第１音量調整部２の音量レベルを−６ｄＢに設定する必要がある。これにより、２Ｖのアナログ音声信号は第１音量調整部２によって１Ｖに減圧され、ＡＤＣ３に入力することができる。また、例えば感度を１Ｖに設定し、１Ｖのアナログ音声信号をＡＤＣ３に入力する場合には、第１音量調整部２の音量レベルは０ｄＢに設定される。
【００１６】
信号処理部４は、ＡＤＣ３から供給されるデジタル音声信号に対して信号処理を実行し、第２音量調整部５に供給する。信号処理は、ブースト処理、カット処理、イコライザ処理などの音響信号処理である。
【００１７】
第２音量調整部５は、信号処理部４から供給されるデジタル音声信号の音量レベルをマイコン９によって設定された第２音量レベルに調整し、メインアンプ６に供給する。メインアンプ６は、第２音量調整部５から供給されたデジタル音声信号を増幅し、スピーカー７にアナログ音声信号を供給する。メインアンプ６は、スイッチングアンプが採用され得る。スイッチングアンプは後段にＬＰＦ（ローパスフィルタ）を備えており、スピーカー７にＬＰＦにおいて高周波成分を除去したアナログ音声信号を供給する。
【００１８】
クリップ検出回路８は、メインアンプ６から出力される音声信号が設定値以上であるか否かを検出し、設定値以上であると判断した場合に、設定値以上であることを示す信号（例えばローレベルの信号）をマイコン９に出力する。
【００１９】
クリップ検出回路８は、メインアンプ６から供給されるアナログ音声信号の振幅値を検出し、アナログ音声信号がクリップする場合に、クリップすることを示す信号をマイコン９に出力する。詳細には、クリップ検出回路８は、アナログ音声信号の振幅値が設定値以上であるか否かを検出し、設定値以上である場合に、設定値以上であることを示す信号をマイコン９に出力する。一方、設定値未満である場合、設定値未満であることを示す信号を出力する。
【００２０】
図２は、メインアンプ６、クリップ検出回路８、および、スピーカー７を示す回路図である。アナログ音声信号が左チャンネル音声信号および右チャンネル音声信号の２ｃｈである場合、クリップ検出回路８は、左チャンネル用クリップ検出回路８Ａと、右チャンネル用クリップ検出回路８Ｂとを含む。メインアンプ６も、左チャンネル用アンプＡ１（正側アンプ）、Ａ２（負側アンプ）と、右チャンネル用アンプＡ１１（正側アンプ）、Ａ１２（負側アンプ）とを含む。左チャンネル用アンプＡ１からのアナログ音声信号は、左スピーカーＳＰ１の正側入力端子に入力され、左チャンネル用アンプＡ２からのアナログ音声信号は、左スピーカーＳＰ１の負側入力端子に入力される。また、左チャンネル用アンプＡ１からのアナログ音声信号は、左チャンネル用のクリップ検出回路８Ａに入力される。右チャンネル用アンプＡ１１からのアナログ音声信号は、右スピーカーＳＰ２の正側入力端子に入力され、右チャンネル用アンプＡ１２からのアナログ音声信号は、右スピーカーＳＰ２の負側入力端子に入力される。また、右チャンネル用アンプＡ１２からのアナログ音声信号は、右チャンネル用のクリップ検出回路８Ｂに入力される。
【００２１】
左チャンネル用のクリップ検出回路８Ａと、右チャンネル用のクリップ検出回路８Ｂとは回路構成が同じであるので、以下では、左チャンネル用のクリップ検出回路８Ａについてのみ説明する。
【００２２】
クリップ検出回路８Ａは、設定値を決定するための抵抗Ｒ２及びＲ３と、メインアンプ６の出力電圧の振幅値が設定値以上であるか否かを検出する第１検出部（トランジスタＱ１）と、第１検出部の検出結果を出力する出力部（トランジスタＱ３）とを概略含む。
【００２３】
トランジスタＱ１は、ｐｎｐ型トランジスタであり、エミッタが＋１５Ｖ電源ラインに接続され、コレクタがトランジスタＱ３のベースに接続され、ベースが抵抗Ｒ２と抵抗Ｒ３との接続点に接続されている。トランジスタＱ３は、抵抗が内蔵されたｎｐｎ型トランジスタであり、ベースがトランジスタＱ１のコレクタに接続され、コレクタが抵抗Ｒ６を介して＋１５Ｖ電源ラインに接続されている。
【００２４】
トランジスタＱ２１は、左チャンネル用のクリップ検出回路８Ａからの信号と、右チャンネル用のクリップ検出回路８Ｂからの信号との少なくとも一方が、音声信号がクリップすることを示す信号である場合に、マイコン９に音声信号がクリップすることを示す信号を供給するためのトランジスタである。
【００２５】
図１に戻って、入力部１０はユーザ操作を受け付けるものであり、例えば音量調整ツマミやリモコン等である。入力部１０は、ユーザ操作による音量レベルを調整（増加、又は、減少）する指示を受け付けて、マイコン９に供給する。
【００２６】
マイコン９は、ユーザ操作によって音量レベルを増加させる指示が入力されたとき、クリップ検出回路８から設定値以上であることを示す信号が出力されているかどうかを判断する。クリップ検出回路８から設定値以上であることを示す信号が出力されていれば、マイコン９は、第１音量調整部２および第２音量調整部５の音量レベルをこれ以上増加させない。従って、メインアンプ６の出力電圧がクリップすることを防止できる。
【００２７】
また、マイコン９は、ユーザ操作によって音量レベルを増加させる指示が入力されたとき、クリップ検出回路８から設定値以上であることを示す信号が出力されておらず、かつ、第２音量調整部５の第２音量レベルが所定値未満（例えば２Ｖ感度の場合−６ｄＢ）である場合に、第２音量調整部５に第２音量レベルを増加させるよう制御する。
【００２８】
また、マイコン９は、ユーザ操作によって音量レベルを増加させる指示が入力されたとき、クリップ検出回路８から設定値以上であることを示す信号が出力されておらず、かつ、第２音量調整部５の第２音量レベルが所定値（例えば２Ｖ感度の場合−６ｄＢ）である場合に、第１音量調整部２に第１音量レベルを増加させるよう制御する。第１音量調整部２の第１音量レベルを増加させることは、感度を低下させることに相当する。
【００２９】
図３は、ユーザ操作によって設定される音量レベル（横軸）に対するメインアンプ６の出力電力を示す図である。図３では、第１音量調整部２に入力されるアナログ音声信号が、１Ｖ、１．５Ｖ、２Ｖである場合の音量レベルに対する電力の変化を示している。また、図３では、第２音量レベルが−６ｄＢに達するまでは第２音量調整部５の第２音量レベルの変化になっており、第２音量レベルが−６ｄＢに達した後は、第１音量調整部２の第１音量レベルの変化（感度の変化）になっている。また、電力が１５Ｗでクリップ検出回路８がクリップすることを示す信号（ローレベルの信号）を出力し、これ以上音量レベルが増加しないようになっている。
【００３０】
マイコン９は、入力されるアナログ音声信号のレベル変化によって、クリップ検出回路８から設定値以上であることを示す信号が出力されたとき、第１音量調整部２の第１音量レベルが第２所定値（例えば感度２Ｖのとき、−６ｄＢ）よりも大である場合、マイコン９は、第１音量調整部２の第１音量レベルを減少させる。つまり、感度を増加させる。
【００３１】
マイコン９は、入力されるアナログ音声信号のレベル変化によって、クリップ検出回路８から設定値以上であることを示す信号が出力されたとき、第１音量調整部２の第１音量レベルが第２所定値（例えば−６ｄＢ）である場合、マイコン９は、第２音量調整部５の第２音量レベルを減少させる。
【００３２】
以下、本発明の動作を説明する。まずは、クリップ検出回路８の動作を説明する。
図４は、クリップ検出回路８Ａの各点における波形を示すタイムチャートであり、各符号は図２の各点における波形に対応している。なお、右チャンネル用のクリップ検出回路８Ｂの動作も同様である。ここでは、右チャンネル用のクリップ検出回路８Ｂは、音声信号が設定値以上であることを検出しておらず、従って、トランジスタＱ１３のコレクタ電圧がローレベルであり、トランジスタＱ２１のベースに対して信号を出力していないこととする。
【００３３】
期間Ｔ１においては、メインアンプ６の出力電圧の振幅値が設定値未満である（Ａ点電圧参照）。従って、トランジスタＱ１はベース電圧が導通開始電圧に達しオン状態になっており、コレクタ電圧が＋１５Ｖ電源電圧に引き上げられ、Ｂ点電圧がハイレベルになっている。トランジスタＱ３は、Ｂ点電圧がハイレベルであるので、ベース電圧が導通開始電圧に達しオン状態になっており、コレクタ電圧が接地電位に引き下げられる。トランジスタＱ２１は、ベース電圧が導通開始電圧未満であり、オフ状態になっている。従って、マイコン９には、音声信号がクリップしてないことを示すハイレベルの信号である+５Ｖ電源電圧が出力される。つまり、Ｃ点電圧がハイレベルになっている。
【００３４】
期間Ｔ２においては、メインアンプ６の出力電圧の振幅値が設定値以上である（Ａ点電圧参照）。つまり、音声信号の振幅がクリップすると考えられる。トランジスタＱ１はベース電圧が導通開始電圧に達しておらずオフ状態になっており、コレクタが＋１５Ｖ電源電圧に対して開放状態とされ、Ｂ点電圧がローレベルになっている。トランジスタＱ３は、Ｂ点電圧がローレベルであるので、ベース電圧が導通開始電圧に達しておらずオフ状態になっており、コレクタ電圧が＋１５Ｖ電源電圧に引き上げられる。トランジスタＱ３のコレクタ電圧はダイオードＤ３を介してトランジスタＱ２１のベースに供給される。トランジスタＱ２１は、ベース電圧が導通開始電圧に達し、オン状態になっている。従って、マイコン５には、音声信号がクリップすること（音声信号の振幅が設定値以上であること）を示すローレベルの信号である接地電位が出力される。つまり、Ｃ点電圧がローレベルになっている。
【００３５】
期間Ｔ３においては、期間Ｔ１と同じであるので、説明を援用する。
【００３６】
続いて、マイコン９の動作を説明する。
図５は、ユーザ操作によって音量レベルを増加させる指示が入力された場合のマイコン９の処理を示すフローチャートである。マイコン９は、まず、第１音量調整部２の第１音量レベルを−６ｄＢに設定する。従って、感度を２Ｖに設定したことになる。続いて、マイコン９は、ユーザ操作によって音量レベルを増加させる指示が入力されたか否かを判断する（Ｓ２）。
【００３７】
音量レベルを増加させる指示が入力された場合（Ｓ２でＹＥＳ）、マイコン９は、クリップ検出回路８からローレベルの信号が出力されているか否かを判断する（Ｓ３）。つまり、メインアンプ６の出力電圧の振幅値が設定値以上であり、これ以上音量レベルを増加させると、音声信号の振幅がクリップするか否かが判断される。クリップ検出回路８からローレベルの信号が出力されている場合（Ｓ３でＹＥＳ）、マイコン９は、第１音量調整部２および第２音量調整部５共に音量レベルをこれ以上増加させない。つまり、ユーザによる音量レベルの増加指示を無効化する。
【００３８】
一方、クリップ検出回路８からハイレベルの信号が出力されている場合（Ｓ３でＮＯ）、マイコン９は、第２音量調整部５の第２音量レベルが−６ｄＢ（感度が２Ｖの場合）であるか否かを判断する（Ｓ５、図３の破線参照）。第２音量レベルが−６ｄＢ未満である場合（Ｓ５でＮＯ）、マイコン９は第２音量調整部５の第２音量レベルを所定ステップ（例えば１ステップ＝１ｄＢ）増加させる（Ｓ６）。この処理は、図３において、「第２音量レベルの変化領域」と記載する部分の電力波形の変化に相当する。
そして、処理はＳ２に戻る。
【００３９】
一方、第２音量レベルが−６ｄＢになっている場合（Ｓ５でＹＥＳ）、マイコン９は、第２音量レベルをこれ以上増加させず、代わりに第１音量調整部２の第１音量レベルを所定ステップ（例えば１ステップ＝１ｄＢ）増加させる（Ｓ７）。第１音量レベルを増加させるということは、感度を低下させることになる。第２音量レベルを−６ｄＢまでしか増加させないのは、感度が２Ｖの場合には第２音量レベルを−６ｄＢよりも大にすると、メインアンプ９の出力電圧がクリップする可能性があるからである。
【００４０】
その後、マイコン９は、再び、ユーザ操作によって音量レベルを増加させる指示が入力されたか否かを判断する（Ｓ８）。入力された場合（Ｓ８でＹＥＳ）、マイコン９は、クリップ検出回路８からローレベルの信号が出力されているか否かを判断する（Ｓ９）。つまり、メインアンプ６の出力電圧の振幅値が設定値以上であり、これ以上音量レベルを増加させると、音声信号の振幅がクリップするか否かが判断される。クリップ検出回路８からローレベルの信号が出力されている場合（Ｓ９でＹＥＳ）、マイコン９は、第１音量調整部２の音量レベルをこれ以上増加させない。つまり、ユーザによる音量レベルの増加指示を無効化する。
【００４１】
一方、クリップ検出回路８からハイレベルの信号が出力されている場合（Ｓ９でＮＯ）、マイコン９は、第１音量調整部２の第１音量レベルを所定ステップ（例えば１ステップ＝１ｄＢ）増加させる（Ｓ７）。第１音量レベルを増加させるということは、感度を低下させることになる。この処理は、図３において、「第１音量レベルの変化領域」と記載する部分の電力波形の変化に相当する。そして、処理はＳ８に戻る。従って、Ｓ８〜Ｓ１１では、第１音量レベルをクリップさせずに増加できるところまで順次増加させていき、順次感度を低下させていく。
【００４２】
以上のように、ユーザ操作によって音量レベルを増加させる指示が入力された場合には、第２音量調整部５の第２音量レベルが−６ｄＢ（感度２Ｖの場合）になるまでは、第２音量レベルを増加させ、第２音量調整部５の第２音量レベルが−６ｄＢ（感度２Ｖの場合）になった後は、第１音量調整部２の第１音量レベルを増加させて、感度を増加させる。その結果、最初は感度を２Ｖと高い値に設定しておきクリップを防止すると共に、第２音量レベルが−６ｄＢになると音量レベルを増加させるに従い第１音量レベルを増加させて感度を低下させていき、低い電圧が入力された場合でもメインアンプ６の出力電圧の振幅値を大きくすることが可能となる。また、常にクリップ検出回路８からの信号を監視しており、クリップ検出回路８からの信号がローレベルであれば、音量レベルを増加させないことによって、メインアンプ６からの音声信号の振幅がクリップすることを防止することができる。
【００４３】
図６は、ユーザによる音量レベルの増加指示が入力されていないとき、第１音量調整部２に入力されるアナログ音声信号の電圧が大きくなり、クリップ検出回路８からローレベルの信号が出力される場合のマイコン９の処理を示す。
【００４４】
マイコン９は、クリップ検出回路８から、音声信号がクリップすることを示す信号（ローレベルの信号）を所定時間（５ミリ秒）以上継続して受信したか否かを判断する（Ｓ２１）。なお、所定時間継続してローレベルの信号を検出するのではなく、少なくとも一瞬だけローレベルの信号を検出したか否かを判断するようにしてもよい。
【００４５】
ローレベルの信号を所定時間継続して受信した場合（Ｓ２１でＹＥＳ）、マイコン９は、第１音量調整部２の音量レベルが−６ｄＢであるか否かを判断する（Ｓ２２）。つまり、感度が最大の２Ｖに設定されているか否かを判断する。第１音量レベルが−６ｄＢでない場合（Ｓ２２でＮＯ）、マイコン９は、第１音量調整部２の第１音量レベルを所定ステップ（例えば１ステップ＝１ｄＢ）減少させる（Ｓ２３）。つまり、感度を増加させる。
【００４６】
一方、第１音量レベルが−６ｄＢである場合（Ｓ２２でＹＥＳ）、つまり、感度が最大の２Ｖになっている場合、マイコン９は、第２音量調整部５の第２音量レベルを所定ステップ（例えば１ステップ＝１ｄＢ）減少させる（Ｓ２４）。
【００４７】
以上の処理によって、ユーザ操作によって音量レベルを増加する指示が入力されていない場合であっても、入力されるアナログ音声信号の電圧が大きくなって、クリップ検出回路８からローレベルの信号が出力された際には、マイコン９は、第１音量レベルが−６ｄＢになるまでは第１音量調整部２の第１音量レベルを低下させ（つまり、感度を増加させ）、第１音量レベルが−６ｄＢである場合には第２音量調整部５の第２音量レベルを低下させる。
【００４８】
以上、本発明の好ましい実施形態について説明したが、本発明はこれらの実施形態には限定されない。
【産業上の利用可能性】
【００４９】
本発明は、例えばオーディオ用のメインアンプに好適に採用され得る。本実施形態では、初期値として感度を２Ｖとしている（つまり第１音量レベルを−６ｄＢとしている）がこれに限定されず、４Ｖ（第１音量レベルを−１２ｄＢ）としてもよい。
【符号の説明】
【００５０】
１              音量調整装置
２              第１音量調整部
３              ＡＤＣ
４              信号処理部
５              第２音量調整部
６              メインアンプ
７              スピーカー
８              クリップ検出回路
９              マイコン
１０            入力部
【図１】
0005196208.tif 000002
【図２】
0005196208.tif 000003
【図３】
0005196208.tif 000004
【図４】
0005196208.tif 000005
【図５】
0005196208.tif 000006
【図６】
0005196208.tif 000007